(57)【要約】【課題】小型かつ軽量で簡単に取り外しができない係止機構付き留め具を提供する。【解決手段】受け金具４と留め金具からなり、該留め金具はケース２内に組み込まれたラッチ８と該ラッチと受け金具とを係合した状態で係止する係止部材３とを具備し、該係止部材３は磁性材料からなりかつばね６を有しており、該係止部材にケース２の外側から磁石５を近つけて磁力を作用させることにより、係止部材３をばね６の弾性力に抗して動作させて前記係止を開放し、受け金具から留め金具を取り外す。【選択図】図１
2005230358.tif 000002
【特許請求の範囲】
【請求項１】
受け金具と、該受け金具に係合するラッチと、受け金具とラッチとを係合した状態で係止する係止部材とを具備し、該係止部材を磁石の磁力で動作させることにより、受け金具とラッチとの係止を開放することを特徴とする係止機構付き留め具。
【請求項２】
受け金具と留め金具からなり、該留め金具は非磁性材料で形成されたケース内に組み込まれたラッチと該ラッチと受け金具とを係合した状態で係止する係止部材とを具備し、該係止部材は磁性材料からなりかつばねを有しており、該係止部材にケースの外側から磁石を近つけて磁力を作用させて、係止部材をばねの弾性力に抗して動作させることにより前記係止を開放し、留め金具を受け金具から取り外し可能にする請求項１に記載の係止機構付き留め具。
【請求項３】
受け金具を挿通できる開口部を有するベースが前記ケースの下部に設けられており、ラッチが該ベースの開口部に突出して設けられている請求項２に記載の係止機構付き留め具。
【請求項４】
ケース内に組み込まれたラッチを弾性部材と頭部がケースから突出している押ボタンとで挟持し、ラッチが押しボタンの操作により受け金具に対し出没可能に設けられており、ラッチが受け金具に係合した状態で該押ボタンを係止部材で固定することによりラッチと受け金具とを係止し、係止部材を磁力で動作させて押ボタンの固定を開放することにより押ボタンでラッチを押して受け金具から外すことができる請求項２又は３に記載の係止機構付き留め具。
【請求項５】
介護用ねまきの留め具、介護手袋の取り外し防止用留め具又はかばん等の簡易ロック付き留め具として使用する請求項１〜４のいずれかに記載の係止機構付き留め具。
【請求項６】
請求項１〜４のいずれかに記載の係止機構付き留め具が開閉スライダ用留め具として使用されている介護用ねまき。
【請求項７】
請求項１〜４のいずれかに記載の係止機構付き留め具が蓋の留め具として使用されているかばん。
【発明の詳細な説明】
【技術分野】
【０００１】
本発明は、簡単に取り外しができない係止機構付き留め具に関し、特に介護用ねまきの開閉スライダ用留め具、手袋の取り外し防止用留め具又はかばん等の簡易ロック付き留め具として有用な係止機構付き留め具に関する。
【背景技術】
【０００２】
一般に痴呆症患者には、不潔行為を未然に抑制するために、ロック付きねまき又はロック付きつなぎねまき（以下、ロック付きねまきという）が着用されることがある。このロック付きねまきの一つとして、ねまきの袖、フロント、股部などにロック機能ファスナーを取り付けたものが知られている。このロック機能ファスナーはファスナーの閉終端に例えばロック付きボタンを設けて、該ボタンの中心部を押すとロックが外れ、ロックを外してからファスナーを開閉するものである。したがって、このロック付きねまきは、ボタンのロックを外した後でないとファスナーを開けることができないため、通常のねまきに比べると簡単にファスナーを開けることができないように工夫されており、ロック付きねまきとして一応機能する。
【発明の開示】
【発明が解決しようとする課題】
【０００３】
しかしながら、従来のロック付きねまきでは、ボタンの中央部を押すとロックが外れるために、痴呆症患者が何かの拍子にこの中央部を押すとロックが勝手に外れたり、あるいは中央部を押すとロックが外れることを一度知ってしまうとロックを自分で外してしまうために、ロック付きねまきとしての機能が充分に果たせなくなる。その結果、不潔行為を未然あるいは完全に防ぐことができないという問題があった。
【０００４】
このような問題を解消するために、このロック付きねまきの係止手段として汎用の各種の錠を適用することが考えられる。このような錠は簡単に外すことのできないロック付きねまきを得ることはできるが、大型化し重くなるために痴呆症患者のねまき用その他の簡易留め具として好ましくない。また、施錠や解錠を鍵で行うために、その作業に手間と負担がかかるという問題がある。
【０００５】
また、手の保護や手を自由に使うことができないようにするため手袋を着用しても、着用者が手袋の着用について分別できないため、この手袋を自分勝手に手から外してしまうことがある。このために着用者が手袋を自分の意思で簡単に手から取り外すのを防止できる手段が求められている。
【０００６】
さらにまた、かばん等の留め具として錠を使用せずに開閉でき、かつ自由な開閉を防止できる簡易ロック付き留め具が求められている。
【０００７】
本発明の目的は、このような課題を解消できる簡単に取り外しができない係止機構付き留め具、特に介護用ねまきの開閉スライダ用留め具、手袋の取り外し防止用留め具又はかばん等の簡易ロック付き留め具として有用な係止機構付き留め具を提供することである。
【課題を解決するための手段】
【０００８】
本発明は、上記の課題を解決するために留め具について検討した結果、受け金具とラッチとを係合した状態で磁性材料で形成した係止部材により係止し、該係止部材を磁石の磁力で動作させて前記係止を開放することにより、軽量かつ小型で簡易ロック付き留め具が得られることを見出し得られたものである。すなわち、本発明は次の係止機構付き留め具、及び該係止機構付き留め具を使用した介護用ねまき又はかばん等を提供する。
１．受け金具と、該受け金具に係合するラッチと、受け金具とラッチとを係合した状態で係止する係止部材とを具備し、該係止部材を磁石の磁力で動作させることにより、受け金具とラッチとの係止を開放することを特徴とする係止機構付き留め具。
２．受け金具と留め金具からなり、該留め金具は非磁性材料で形成されたケース内に組み込まれたラッチと該ラッチと受け金具とを係合した状態で係止する係止部材とを具備し、該係止部材は磁性材料からなりかつばねを有しており、該係止部材にケースの外側から磁石を近つけて磁力を作用させて、係止部材をばねの弾性力に抗して動作させることにより前記係止を開放し、留め金具を受け金具から取り外し可能にする上記１の係止機構付き留め具。
３．受け金具を挿通できる開口部を有するベースが前記ケースの下部に設けられており、ラッチが該ベースの開口部に突出して設けられている上記２の係止機構付き留め具。
４．ケース内に組み込まれたラッチを弾性部材と頭部がケースから突出している押ボタンとで挟持し、ラッチが押しボタンの操作により受け金具に対し出没可能に設けられており、ラッチが受け金具に係合した状態で該押ボタンを係止部材で固定することによりラッチと受け金具とを係止し、係止部材を磁力で動作させて押ボタンの固定を開放することにより押ボタンでラッチを押して受け金具から外すことができる上記２又は３の係止機構付き留め具。
５．介護用ねまきの留め具、介護手袋の取り外し防止用留め具又はかばん等の簡易ロック付き留め具として使用する上記１〜４のいずれかの係止機構付き留め具。
６．上記１〜４のいずれかに記載の係止機構付き留め具が開閉スライダ用留め具として使用されている介護用ねまき。
７．上記１〜４のいずれかに記載の係止機構付き留め具が蓋の留め具として使用されているかばん。
【発明の効果】
【０００９】
本発明によれば、受け金具とラッチとを係合した状態で係止する係止部材を磁性材料で形成し、該係止部材を磁力で動作させることにより受け金具とラッチとの係止を開放し取り外しすることができるので、受け金具とラッチとの係止の開放を磁石で簡易にできる。これにより、受け金具とラッチとの係止の開閉を、鍵を使用しないで行うことができ、さらに磁石の磁力で外側から操作することによりできるので、作業負担と手間が軽減できる。
【００１０】
また、受け金具とラッチとの係止機構がこのように磁石の磁力操作によりできるように構成されているので、留め具の構造を簡単にすることができ、これにより留め具の小型化と軽量化が得られる。
【発明を実施するための最良の形態】
【００１１】
本発明の係止機構付き留め具（以下、本留め具とする）は、受け金具と該受け金具に係止される留め金具とからなり、該留め金具は受け金具に係合するラッチと受け金具にラッチが係合した状態で係止するための係止部材とを具備しており、該係止部材を磁性材料で形成して磁石の磁力で動作させることにより、受け金具とラッチとの係止を開放できるように構成されている。
【００１２】
本留め具において、受け金具と留め金具は本留め具で係止する物品に対で取り付けられ、両者を係合させた状態で係止することにより留め具としての機能が得られる。ここで、前記係止は係合した受け金具と留め金具もしくはラッチとが離脱しないように保持することを指し、この機能は係止部材によって得られる。したがって、係止部材による係止を開放すれば、受け金具からラッチを離脱させて留め金具を取り外すことができる。
【００１３】
次に本発明を図面に基づいて具体的に説明する。図面は本発明の好ましい実施形態を例示したものであり、本発明は例示の図面とその説明に限定されない。また、本発明において受け金具及び留め金具はこれらが金属製であることを示すものでなく、説明を分かりやすくするために便宜的に呼称するものである。図１は本留め具の好ましい一つの留め具で、留め金具が受け金具４に取り付けられたときの断面図を示し、留め金具のラッチ８が受け金具４から離脱しないように係止部材３により係止されている。図２は該留め具の分解図である。
【００１４】
図２から明らかのように受け金具４はクランク状をなしており、該受け金具の取り付け固定を強固にするために便宜的に取付け台１４に脚部を取り付けし、該脚部の間にラッチ８を挿通して係合させるための空隙を有している。しかし、この受け金具４の形状は留め金具のラッチ８の形体に合わせて変更できる。受け金具４の材質は特定されないが、強度と成形加工性の点から通常は金属製のものが好ましく使用できる。
【００１５】
一方、本例において留め金具はベース１、該ベースに取り付けたケース２及び該ケース２内に組み込まれた係止部材３とばね６とによって形成されている。本例では留め金具を簡単な構造にするために、係止部材３をベース１の一部として設けている。すなわち、図２に示すようにベース１には受け金具４を挿通するための開口部１１が形成されており、該開口部１１に舌片状のラッチ８が開口部１１に突出してベース１の一部として設けられている。このような舌片状のラッチ８は、ベース１を形成加工する際に開口部１１と一緒に設けることができる。このような舌片状のラッチ８は、受け金具４と係合しやすく、幅を変えることにより所望の強度が得られるなどの点で好ましいが、ラッチ８の形状はこれに限定されない。またラッチ８をベース１と異なる材料で形成するようなときは、ベース１の開口部１１に後加工で設けることもできる。
【００１６】
ベース１の材質としては、主に金属やプラスチックが使用される。具合的には例えば、鉄（ステンレス鋼を含む）、真鍮、亜鉛、アルミニウムなどの金属、またはプロピルピレン、アクリロニトリル−ブタジエン−スチレン三元共重合体、ポリアセタールなどのプラスチックが挙げられる。ベース１はこれらの材料からプレス成形又は射出成形により容易に得ることができる。なお、このベース１には前記の開口部１１のほかに、図２に示すように係止部材３を取り付けるための切欠き孔１０、ケース２の取付け孔１３、使用時に留め金具を取り付けるための孔９が設けられている。
【００１７】
前記ケース２は留め金具の外殻を形成する部材で、内部に係止部材３とばね６を組み込むことができる空間部を有している。本発明においてケース２は非磁性材料で形成される。このようにケース２を非磁性材料にする理由は、係止部材３に磁力を作用させるために磁石をケース２に近つけたとき、磁力が作用しないようにするためである。この非磁性材料としては、例えば１８−８ステンレス鋼、真鍮、亜鉛、アルミニウムなどの金属、またはプロピルピレン、アクリロニトリル−ブタジエン−スチレン三元共重合体、ポリアセタールなどのプラスチックを挙げることができる。なお、このケース２は下部に設けた取付け部１２によってベース１の孔１３に取り付けることができる。
【００１８】
係止部材３は、受け金具４とラッチ８とを係合した状態で係止するための部材で、前記のケース２内に設けられる。本例の係止部材３は、矩形の板片状でその一方の下端に脚部７が設けられており、ケース２内において該脚部７をベース１の前記切欠き孔１０に装着することにより該脚部７を中心に回転自在になっている。そして、該係止部材３の先端で、ラッチ８に係合している受け金具４を係止し固定する。その場合、受け金具４を安定かつ確実に固定するために、係止部材３の幅を受け金具４の幅より大きくするのが好ましい。
【００１９】
本発明において、該係止部材３は磁性材料で形成される。係止部材３を磁性材料で形成することにより、磁石をケース２の外側から受け金具４を係止している該係止部材３に近つけたとき、その磁力の作用で該係止部材３を脚部７を中心に上方に回転させて受け金具４から外すことができる。この磁性材料として鉄、１８−８ステンレス鋼以外のステンレス鋼などを挙げることができる。中でも１８−８ステンレス鋼以外のステンレス鋼はコストや防錆などの点で好ましい。なお、係止部材３は通常全体を磁性材料で形成するが、非磁性材料で形成した係止部材の磁力を受けやすい部分に、磁性材料を例えば接着して部分的に設けてもよい。
【００２０】
また、ばね６は係止部材３に作用してその弾性力でラッチ８と受け金具４とを係止した状態に保持する役割を有している。そして、係止部材３に磁力が作用したときには、前記弾性力に抗して係止部材３を動作させ、ラッチ８と受け金具４との係止を開放する。このため、ばね６の弾性力は係止部材３に作用する磁力より小さくなっている。ばね６は例示のコイルばねに限定されない。弾性体であればよく、例えば後述の板ばねのほか、竹の子ばね、うず巻ばね、線巻きばね、線ばねやゴム弾性体などを用いることができ、本発明におけるばねはこれらばねを包含している。
【００２１】
本例において留め金具はこれらの部品から次の方法により製作することができる。図１に示すように先ず係止部材３の脚部７をベース１の切欠き孔１０に装着して係止部材３をベース１に該脚部７を中心に回転自在に取り付ける。次にこの係止部材３の上部にバネ６を介在させてケース２を上方から被せてベース１に取り付ける。かくしてベース１内に組み込まれた係止部材３は、ばね６の弾性力で所定の位置まで押し下げられこの状態を保持する。
【００２２】
次に、この留め金具と受け金具４とを係止した後、この係止を開放する方法について説明する。受け金具４の上から留め金具を被せてベース１の開口部１１に受け金具４を挿通すると、ばね６で押し下げられていた係止部材３は受け金具４によって押し上げられる。この状態で留め金具を受け金具４に対して図１で右方向に移動させると、受け金具４にラッチ８が挿通して両者が係合する。同時に受け金具４で押し上げられていた係止部材３は、受け金具４の押し上げがなくなるため、ばね６によって受け金具４の右側部に押し下げられる。押し下げられた係止部材４は、図１に示すように受け金具４に対しストッパーとして働くため、ラッチ８と受け金具４とは相対移動が不可能となる。その結果、ラッチ８は受け金具４に係合した状態で係止され、留め金具は受け金具４から離脱できなくなる。
【００２３】
このラッチ８を受け金具４から離脱するときには、磁石５をケース２の外側から係止部材３に近つけ、その磁力により係止部材３をばね６の弾性力に抗して上方に動作させて受け金具４に対する係止を開放する。すなわち、図１に示す如くケース２の外側から磁石５を近つけると、係止部材３はその磁力の作用で磁石５に引き寄せられるため、ばね６の弾性力に抗して脚部７を中心に回転して上方に持ち上げられる。図１の仮想線はこの状態を示し、受けグ金具４は係止部材３から開放される。この開放により、ラッチ８の受け金具４に対する相対移動が可能となるので、留め金具（ラッチ８）を左側に移動させて受け金具４から外すことができる。
【００２４】
係止部材３による受け金具４とラッチ８との係止は、磁石５以外の手段で解くことができないが、磁石５をケース２の外側から係止部材３に近つけて磁力を作用させることにより、係止部材３の係止を開放させてラッチ８を受け金具４から離脱することが可能となり、留め金具を受け金具から簡単に取り外すことができる。この場合、取り外しに使用する磁石５は、所定の強度の磁力が得られるものであれば、永久磁石、電磁石のいずれでもよい。しかし、永久磁石の方が磁石自体の構造が簡単でかつ電源を必要としないために軽量化と小型化に適し、携帯の利便性が得られる点で優れている。
【００２５】
図６及び図７は永久磁石を使用したときの磁石５を例示したものである。図６は指を差し込みできるリング孔２６を設けたケース２４に磁石５（永久磁石）を埋設した指輪タイプのものである。この指輪タイプの磁石は、前記リング孔２６に指を差し込んで携帯しそのまま使用できる。図７は紐やキーホルダなどに取り付けて携帯し使用するタイプで、磁石５のケース２４は紐やキーホルダに取り付けるための小さいリング孔２６を有している。本発明において、磁石５はこれら例示のものに限定されることなく、所定の強さの磁力さえ持っていれば、留め具の形体、大きさ、用途などに関係なく共用できる利点を有している。
【００２６】
図３、図４及び図５は本発明の他の好ましい実施形態の留め具を示す。図３は図４のＡ−Ａ部における断面図であり、図４は図３のＢ−Ｂ部における断面図で、係止部材３の一部を切欠いて示している。また図５は本留め具の分解図である。これらの図において前記した図１及び図２の留め具と同一の部品には、理解をしやすくするため同じ符号を付し、またその材質も特に断らない限り同じであるので、その説明を省略することがある。
【００２７】
本例の受け金具４は、図５に例示する如く糸孔２３を利用して取り付けできる。一方、該受け金具４に取り付ける留め金具は、ベース１、ケース２及び該ケース２内に組み込まれるラッチ１７、係止部材３、押しボタン１８によって構成されている。以下、留め金具について図面を参照して説明する。本例のベース１は開口部１１にラッチが設けられていないことが図１のベース１と異なっており、その他は実質同じである。また、ケース２は一つの側壁に押しボタン１８用の窓部２０が設けられている点を除いて図１のケース２と同一である。  本例の留め金具において、ラッチ１７はスライダ１５の先端側（図では左側）に舌片状の突出形体として設けられている。また該スライダの後端側にはばね部１６が設けられている。このばね部１６は、弾性を有する金属又はプラスチックでスライダ１５を形成する場合には、例示のように一体成形できる。しかし、スライダ１５に後付けで設けてもよいし、例えばコイルバネのような独立したばね（弾性体）で代替してもよい。ケース２の内部に組み込まれたラッチ１７は、このばね部１６の働きによりベース１の開口部１１に弾性的に出没できる。
【００２８】
また、係止部材３は磁性を有するとともに、係止部材３自体で所望の弾性を得るために、例えばポリアセタールやプロピルピレンなどのような材料を用いて板ばね状に形成し、その一方の端部が基台２１に固定されている。この場合、板ばね効果を助長するために、係止部材３の基台２１に近い部分を図５に示すように湾曲させるのが好ましい。この係止部材３は、基台２１を前記スライダ１５とケース２との間に設置することによりケース２内に組み込まれ、この状態においてスライダ１５の上面に近接するように保持される。前記押しボタン１８は、例えばベース１と同じ金属またはプラスチックから略コ字状（図示では逆向きになっている）に形成されており、その脚部の間にラッチ１７が収容できる大きさの空間部２２を有し、また脚部の先に押当部１９を具備している。
【００２９】
留め金具は、これらのラッチ１７（スライダ１５）、係止部材3及び押しボタン１８をケース２内に次の方法で組み込むことにより得られる。すなわち、ベース１の上にスライダ１５をベース１に設けた開口部１１にラッチ１７が突出するように載置し、該スライダ１５の右側にばね部１６を介して係止部材３を固定した基台２１を、また左側に押しボタン１８をそれぞれ配置し、押しボタン１８の空間部２２にスライダ１５のラッチ１７を収容するとともに、押当部１９をラッチ１７の両側においてスライダ１５の側面に当接し、スライダ１５を係止部材３と押しボタン１８により両側から挟持する。このときスライダ１５の側面に当接した押当部１９は、図３に示すようにラッチ１７の上面から突出しており、この突出している部分に係止部材３の先端を当接させる。留め金具はラッチ１７、係止部材３及び押しボタン１８をこのように配置し、図３及び図４に示すように押しボタン１８の頭部をケース２の窓部２０（図５参照）から突出させた状態で、ケース２をベース１に固定することにより得られる。
【００３０】
該留め金具において、押しボタン１８の押当部１９に係止部材３が当接した状態では、押しボタン１８は押しても係止部材３がストッパーとなるため動かない。その結果、この状態ではケース２に組み込まれたスライダ１５（ラッチ１７）は固定され動かすことができない。なお、押しボタン１８の押当部１９をラッチ１７の上面から突出させる手段としては、押しボタン１８の厚さをスライダ１５の厚さより大きくする方法が最も簡単であるが、これに限定されない。例えば、押しボタン１８の位置を高くして押しボタン１８の少なくとも押当部１９をラッチ１７の上面から突出させてもよい。また、図示はしないが、ラッチ１７がばね部１６によって開口部１１に対し一定以上押し出されないように例えばスライダ１５又は押しボタン１８にストッパーを設けるとよい。
【００３１】
次に本留め具で係止する方法について説明する。先ず磁石５をケース２の外側から係止部材３に近つけて係止部材３をその磁力によって仮想線の位置（図３参照）に弾性変形させ、この状態で押しボタン１８を押してばね部１６の弾性に抗してスライダ１５を後方に動かし、ベース１の開口部１１に突出しているラッチ１７を没入させる。次いで受け金具４を前記開口部１１に挿通し、受け金具４がラッチ１７より奥に挿入できた時点で押しボタン１８を放すと、スライダ１５はばね部１６の作用で押し出され、これによりラッチ１７が受け金具４に係合する。ラッチ１７と受け金具４との係合を確認した後、磁石５をケース２から離隔すると、係止部材３が弾性により元位置に復帰する。その後は前記したように押しボタン１８を押しても押当部１９が係止部材３によって止められるため、ラッチ１７を動かして受け金具４との係合を外すことはできなくなる。これにより、ラッチ１７と受け金具４とは係合した状態で係止部材３によって係止される。
【００３２】
このように係止されたラッチ１７と受け金具４とは、係止するときと逆の方法により取り外すことができる。すなわち、先ず磁石５をケース２の外側から係止部材３に近つけてその磁力により係止部材３を弾性変形させて先端が押しボタン１８の押当部１９に当たらない位置にする。次いで押しボタン１８でスライダ１５を押して受け金具４に係合しているラッチ１７を受け金具４から外し、受け金具４を留め金具のベース１の開口部１１から取り出して両者を取り外す。
【００３３】
なお、例示の留め具ではベース１を使用するものについて説明したが、ベース１はケース２の一部で代替させたり、省くことができる。また図示はしないが、ラッチの形体も例示の舌片状のものに限定されない。例えば、左右に開閉できる対状構造に形成して、受け金具４に両側から係合するようにしてもよい。
【００３４】
図９は、本留め具２４を適用した介護用ねまき２７を示し、該介護用ねまき２７の例えば開閉スライダ２８の終端部における留め具として使用した場合である。開閉スライダ２８を閉鎖してその終端部を本留め具２４で留めておくと、開閉スライダ２８は本留め具の係止を磁石を用いて開放しないかぎり開口できない。また、図１０は本留め具２４を手袋２９の離脱防止用の適用した場合であり、図１１は本留め具２４をかばん３０（ケース等を含む）の簡易ロック付き留め具として適用した場合であり、いずれも磁石で係止を開放しないと手袋２９を手から離脱したり、かばん３０の蓋を開けることができない。さらに、図示はしないが本留め具は医療用、日用品用などで簡単なロックが必要なその他の物品の留め具にも応用できる。
【産業上の利用可能性】
【００３５】
本発明に係わる留め具は、磁石の磁力を利用して留め具を着脱できる簡易ロック付き留め具であるので、携帯用の小さな磁石で着脱を容易にでき、かつ小型で軽量にすることが可能となり、介護用ねまきの留め具、手袋の外れ防止用留め具、かばんの簡易留め具などに適用できる。
【図面の簡単な説明】
【００３６】
【図１】本発明に係わる好ましい留め具の断面図。
【図２】図１の留め具の分解図。
【図３】本発明に係わる他の好ましい留め具の図４のＡ−Ａにおける断面説明図。
【図４】図３のＢ−Ｂにおける断面図。
【図５】図３の留め具の分解図。
【図６】好ましい開閉用磁石の平面図。
【図７】他の開閉用磁石の平面図。
【図８】本発明に係わる留め具を使用した介護用ねまきの正面図。
【図９】本発明に係わる留め具を使用した手袋の正面図。
【図１０】本発明に係わる留め具を使用したかばんの正面図。
【符号の説明】
【００３７】
１：ベース、    ２：ケース、    ３：係止部材、    ４：受け金具、
５：磁石、    ６：ばね、    ８：ラック、    １１：開口部、
１５：スライダ、    １６：ばね部、    ７：ラック、
１８：押しボタン、    １９：押当部、    ２０：窓部、
２１：基台、    ２２：空間部、    ２４：留め具、    ２７：介護用ねまき、
２９：手袋、    ３０：かばん、
【図１】
2005230358.tif 000003
【図２】
2005230358.tif 000004
【図３】
2005230358.tif 000005
【図４】
2005230358.tif 000006
【図５】
2005230358.tif 000007
【図６】
2005230358.tif 000008
【図７】
2005230358.tif 000009
【図８】
2005230358.tif 000010
【図９】
2005230358.tif 000011
【図１０】
2005230358.tif 000012